(57)【要約】【課題】砒素に対して耐性を有する鉄酸化細菌を用いて、ＡｓＦｅ共沈物を製造するための方法を提供すること。【解決手段】溶液中でのＡｓＦｅ共沈物の製造方法であって、  前記溶液は、鉄酸化細菌と、Ａｓと、Ｆｅ（ＩＩ）とを含み、  前記溶液中のＡｓ量が、１ｇ／Ｌ以上であり、  Ｆｅ／Ａｓの原子比が、２．１〜３．８である、該方法。【選択図】図１
2018168053.tif 000002
【特許請求の範囲】
【請求項１】
溶液中でのＡｓＦｅ共沈物の製造方法であって、
前記溶液は、鉄酸化細菌と、Ａｓと、Ｆｅ（ＩＩ）とを含み、
前記溶液中のＡｓ量が、１ｇ／Ｌ以上であり、
Ｆｅ／Ａｓの原子比が、２．１〜３．８である、
該方法。
【請求項２】
ＡｓとＦｅを共沈させるための方法であって、
前記方法は、Ａｓを含む溶液に、鉄酸化細菌とＦｅ（ＩＩ）を投入する工程を含み、
前記溶液中のＡｓ量が、１ｇ／Ｌ以上であり、
Ｆｅ／Ａｓの原子比が、２．１〜３．８である、
該方法。
【請求項３】
請求項１又は２に記載の方法であって、前記溶液中のＡｓ量が２ｇ／Ｌ以上である、該方法。
【請求項４】
請求項１〜３のいずれか１項に記載の方法であって、Ｆｅ／Ａｓの原子比が、２．６以上である、該方法。
【請求項５】
請求項１〜４のいずれか１項に記載の方法であって、
鉄酸化細菌を順化培養する工程を含み、
前記順化培養におけるＦｅ濃度が２ｇ／Ｌ〜６ｇ／Ｌである、該方法。
【請求項６】
請求項１〜４のいずれか１項に記載の方法であって、鉄酸化細菌を順化培養する工程を含まない、該方法。
【発明の詳細な説明】
【技術分野】
【０００１】
本発明は、Ａｓ及びＦｅの共沈物の製造に関する。より具体的には、鉄酸化細菌を用いて、Ａｓ及びＦｅの共沈物を製造する方法に関する。
【背景技術】
【０００２】
銅鉱石などの非鉄製錬原料中には種々の不純物が混入しており、そのような不純物には砒素（Ａｓ）が含まれる。砒素は有毒元素であり周囲環境への影響を考えて、化学的に安定性の高い形態に変換した上で処分することが望まれる。一例として、鉄砒素化合物であるスコロダイト（ＦｅＡｓＯ4・２Ｈ2Ｏ）の結晶は化学的に安定であることが知られており、長期保存にも適している。
【０００３】
このスコロダイトを生成するには、ＡｓとＦｅの存在が必要となる。特許文献１〜３では、スコロダイトを生成するために、ＦｅとＡｓの比率を特定の値にすることを開示している。
【０００４】
特許文献４及び５では、スコロダイトを生成するために、好熱性鉄酸化細菌を用いる方法を開示している。より具体的には、二価の鉄イオンと、三価の砒素イオンとを、所定の比率で投入し、好熱性鉄酸化細菌の１種であるＡｃｉｄｉａｎｕｓ  ｂｒｉｅｒｌｅｙｉが前記砒素イオンを固定化している。
【先行技術文献】
【特許文献】
【０００５】
【特許文献１】特開２０１０−０４３３５９号公報
【特許文献２】特開２０１５−０１７０１０号公報
【特許文献３】米国特許６６５６７２２号明細書
【特許文献４】特開２０１３−１８００３４号公報
【特許文献５】特開２０１４−０４６２２１号公報
【発明の概要】
【発明が解決しようとする課題】
【０００６】
上記のように、鉄酸化細菌は、ＡｓＦｅ共沈物の製造に非常に有用である。しかし、一方で、ＡｓＦｅ共沈物を構成する砒素は、一般的に毒性を有する化合物である。そして、その毒性が、鉄酸化細菌の活動に悪影響を与えている。従って、ＡｓＦｅ共沈物の製造においては、鉄酸化細菌の能力が制限されている。
【０００７】
以上の点に鑑みて、本願発明は、砒素に対して耐性を有する鉄酸化細菌を用いて、ＡｓＦｅ共沈物を製造するための方法を提供することを目的とする。
【課題を解決するための手段】
【０００８】
本発明者が鋭意検討したところ、ＦｅとＡｓの比率を適正化することで、鉄酸化細菌が、Ａｓ存在下でも死滅することなく増殖できることを見出した。
【０００９】
以上の知見に基づき、本発明は以下のように特定される。
（発明１）
溶液中でのＡｓＦｅ共沈物の製造方法であって、
前記溶液は、鉄酸化細菌と、Ａｓと、Ｆｅ（ＩＩ）とを含み、
前記溶液中のＡｓ量が、１ｇ／Ｌ以上であり、
Ｆｅ／Ａｓの原子比が、２．１〜３．８である、
該方法。
（発明２）
ＡｓとＦｅを共沈させるための方法であって、
前記方法は、Ａｓを含む溶液に、鉄酸化細菌とＦｅ（ＩＩ）を投入する工程を含み、
前記溶液中のＡｓ量が、１ｇ／Ｌ以上であり、
Ｆｅ／Ａｓの原子比が、２．１〜３．８である、
該方法。
（発明３）
発明１又は２に記載の方法であって、前記溶液中のＡｓ量が２ｇ／Ｌ以上である、該方法。
（発明４）
発明１〜３のいずれか１つに記載の方法であって、Ｆｅ／Ａｓの原子比が、２．６以上である、該方法。
（発明５）
発明１〜４のいずれか１つに記載の方法であって、
鉄酸化細菌を順化培養する工程を含み、
前記順化培養におけるＦｅ濃度が２ｇ／Ｌ〜６ｇ／Ｌである、該方法。
（発明６）
発明１〜４のいずれか１つに記載の方法であって、鉄酸化細菌を順化培養する工程を含まない、該方法。
【発明の効果】
【００１０】
本発明は、一側面において、ＦｅとＡｓを特定の比率で有する環境下に、鉄酸化細菌を導入する。これにより、毒性のある砒素存在下であっても、鉄酸化細菌が死滅することなく増殖することができる。また、本発明は、一側面において、特定のＦｅ濃度で、順化培養する工程を含む。従来は、鉄酸化細菌を順化させる必要があり、この順化工程に時間がかかっていた。しかし、本発明の一側面における方法では、順化工程に係る時間を著しく短縮することができた。
【図面の簡単な説明】
【００１１】
【図１】一実施形態における、本発明の方法のフローを表す。
【図２】一実施形態における、本発明の方法により、鉄酸化細菌を培養したときの増殖曲線を示す。
【図３】一実施形態における、本発明の方法により、鉄酸化細菌を培養したときの増殖曲線を示す。
【発明を実施するための形態】
【００１２】
以下、本発明を実施するための具体的な実施形態について説明する。以下の説明は、本発明の理解を促進するためのものである。即ち、本発明の範囲を限定することを意図するものではない。
【００１３】
１．鉄酸化細菌
１−１．鉄酸化細菌の属種
一実施形態において、本発明は、鉄酸化細菌を用いる。鉄酸化細菌の属種は、特に限定されないが、以下の物が挙げられる：
Ａｃｉｄｉｔｈｉｏｂａｃｉｌｌｕｓ  ｆｅｒｒｏｏｘｉｄａｎｓ等のＡｃｉｄｉｔｈｉｏｂａｃｉｌｌｕｓ（アシディチオバチルス）属；
Ｆｅｒｒｏｐｌａｓｍａ  ａｃｉｄｉｐｈｉｌｕｍ等のＦｅｒｒｏｐｌａｓｍａ（フェロプラズマ）属。
【００１４】
１−２．好熱性鉄酸化細菌
好適な一実施形態において、好熱性鉄酸化細菌を用いる。好熱性鉄酸化細菌は、高温環境下でも増殖することができる。従って、後述するＡｓＦｅ共沈物の生成反応を高温化で実施することができる。好熱性鉄酸化細菌の属種は、特に限定されないが、以下の物が挙げられる：
Ａｃｉｄｉａｎｕｓ  ｂｒｉｅｒｌｅｙｉ、Ａｃｉｄｉａｎｕｓ  ｉｎｆｅｒｎｕｓ等のＡｃｉｄｉａｎｕｓ（アシディアヌス）属；
Ｓｕｌｆｏｂａｃｉｌｌｕｓ  ｔｈｅｒｍｏｓｕｌｆｉｄｏｏｘｉｄａｎｓ、Ｓｕｌｆｏｂａｃｉｌｌｕｓ  ａｃｉｄｏｐｈｉｌｕｓ等のＳｕｌｆｏｂａｃｉｌｌｕｓ（スルフォバチルス）属；
Ａｃｉｄｉｍｉｃｒｏｂｉｕｍ  ｆｅｒｒｏｏｘｉｄａｎｓ等のＡｃｉｄｉｍｉｃｒｏｂｉｕｍ（アシジミクロビウム）属；
Ｓｕｌｆｏｌｏｂｕｓ  ａｃｉｄｏｃａｌｄａｒｉｕｓ、Ｓｕｌｆｏｌｏｂｕｓ  ｓｏｌｆａｔａｒｉｃｕｓ、Ｓｕｌｆｏｌｏｂｕｓ  ｍｉｒａｂｉｌｉｓ等のＳｕｌｆｏｌｏｂｕｓ（スルフォロブス）属；
Ａｃｉｄｉｐｌａｓｍａ  ｃｕｐｒｉｃｕｍｕｌａｎｓ等のＡｃｉｄｉｐｌａｓｍａ（アシディプラズマ）属；
Ｍｅｔａｌｌｏｓｐｈａｅｒａ ｓｅｄｕｌａ等のＭｅｔａｌｌｏｓｐｈａｅｒａ（メタロスファエラ）属。
【００１５】
２．ＡｓＦｅ共沈物
２−１．ＡｓＦｅ共沈物の反応（図１）
ＡｓＦｅ共沈物は、Ａｓ及びＦｅを構成元素として含む１つの化合物であってもよい。あるいは、ＡｓＦｅ共沈物は、ＡｓとＦｅがそれぞれ別の化合物（又は単体）の形で沈殿した物であってもよい。例えば、限定されるものではないが、前者の例として、ヒ酸鉄（ＡｓＦｅＯ4）、スコロダイト（ＦｅＡｓＯ4・２Ｈ2Ｏ）等が挙げられ、後者の例として、ジャロサイト(ＫＦｅ3+３（ＯＨ）6（ＳＯ４）2)、オキシ水酸化鉄（ＦｅＯＯＨ）等が挙げられる。
【００１６】
スコロダイトは、一例として、以下の化学反応によって形成される。
Ｆｅ3+＋Ｈ3ＡｓＯ4＋２Ｈ2Ｏ→ＦｅＡｓＯ4・２Ｈ2Ｏ＋３Ｈ+
鉄酸化細菌（好熱性鉄酸化細菌も含む）は、鉄と砒素を引き寄せ、これらの物質を局在化させ、上記化学反応を起こす場を提供すると考えられる。
【００１７】
ここで、鉄が二価である場合には、鉄酸化細菌の作用により、三価の鉄に変換される。また、砒素が三価である場合には、前記三価の鉄が砒素を五価に酸化させると考えられる。そして、三価の鉄及び五価の砒素がそろったうえで上記のような反応が起こると考えられる。また、鉄酸化細菌が存在する別の実施形態では、鉄酸化細菌がＦｅ2+を酸化することができるため、下記のような化学反応も起こり、スコロダイトが製造されると考えられる。
４ＦｅＳＯ4＋４Ｈ3ＡｓＯ4＋Ｏ2＋６Ｈ2Ｏ→４ＦｅＡｓＯ4・２Ｈ2Ｏ＋４Ｈ2ＳＯ4
【００１８】
２−２．ＡｓＦｅ共沈物の製造条件（鉄酸化細菌について）
一実施形態において、ＡｓＦｅ共沈物の製造は、溶液中で行われる。該溶液には、鉄酸化細菌が含まれ、そして、ＡｓＦｅ共沈物の生成が促進される。鉄酸化細菌の量は、特に限定されないが、典型的な量は、１×１０＾５〜１×１０＾９ｃｅｌｌ／ｍＬ、好ましくは、１×１０＾６〜１×１０＾８ｃｅｌｌ／ｍＬである。
【００１９】
２−３．ＡｓＦｅ共沈物の製造条件（培地）
ＡｓＦｅ共沈物製造時においても、鉄酸化細菌を良好に増殖させることが重要である。なぜなら、鉄酸化細菌が増殖すれば、それだけＡｓＦｅ共沈物製造の速度も上がると考えられるからである。従って、ＡｓＦｅ共沈物に必要な鉄イオン源、砒素イオン源のみならず、鉄酸化細菌の増殖に適した培地を含めることが好ましい。培地は、固体培地又は液体培地であってもよいが、典型的には液体培地である。また、用いる液体培地としては、典型的には９Ｋ培地、公知文献（例えば、Ｍｉｃｒｏｂｉｏｌｏｇｙ（１９９６），１４２，７７５−７８３頁）に記載の培地や、分譲機関にて情報が公開されている先述の鉄酸化細菌を培養するための培地等が挙げられる。ただし、培地中のＦｅ量については、後述するように別途調整する必要がある。
【００２０】
一実施形態においては、ＡｓＦｅ共沈物の製造時の培地は、更に、酵母エキス（Ｙｅａｓｔ  ｅｘｔｒａｃｔ）を含むことができる。これにより、更にＡｓＦｅ共沈物の生成を向上させることができる。酵母エキスの添加量は、特に限定されないが、典型的には、０．０１〜０．１重量％である（より好ましくは、０．０２〜０．１重量％）。
【００２１】
２−４．ＡｓＦｅ共沈物の製造条件（鉄イオンについて）
ＡｓＦｅ共沈物を構成する鉄イオン源については、二価の物でも三価の物でもよい。より好ましいのは二価である。特に限定されないが、典型的には、硫酸第一鉄（ＦｅＳＯ4）、水酸化鉄（ＩＩ、ＩＩＩ）、二硫化鉄（ＦｅＳ2）等の二価鉄化合物、黄鉄鉱、磁硫鉄鉱等の二価鉄を含む硫化鉄鉱物等が挙げられる。また、これらを１種又は２種以上を組み合わせて用いることができる。鉄イオン源の量は、特に限定されないが、鉄イオン源が少ない方が、ＡｓＦｅ共沈物（例：スコロダイト）を製造する場合に結晶性が良く嵩比重の大きいスコロダイトが製造できる可能性が考えられるため８ｇ／Ｌ以下であることが好ましく、６ｇ／Ｌ以下であることが更に好ましい。また、下限値については２．０ｇ／Ｌ以上であることが好ましく、４．０ｇ／以上であることが更に好ましい。
【００２２】
一側面において、鉄イオン源の量は、後述する砒素イオンに対するモル比、即ち、Ｆｅ／Ａｓのモル比が、２．１〜３．８、より好ましくは２．６以上であってもよい。２．１未満だと、Ａｓの毒性により、鉄酸化細菌が生存できない可能性がある。一方、３．８超だと、ＡｓＦｅ共沈物の製造効率が劣る。
【００２３】
２−５．ＡｓＦｅ共沈物の製造条件（砒素イオンについて）
ＡｓＦｅ共沈物を構成する砒素イオン源については、三価の物でも五価の物でもよい。また、砒素イオン源については、典型的には、亜砒酸（Ｈ3ＡｓＯ3）や砒酸（Ｈ3ＡｓＯ4）、メタ亜砒酸等が挙げられる。
【００２４】
また、本発明の実施形態においては、溶液中のＡｓ濃度が高くてもよい。例えば、１ｇ／Ｌ以上であってもよく、より好ましくは、２ｇ／Ｌ以上であってもよい。Ａｓ濃度を高くすることにより、ＡｓＦｅ共沈物の製造反応がより効率的に進むと考えられる。従来だと、Ａｓ濃度が高くなると、鉄酸化細菌が死滅してしまうため、Ａｓ濃度を上げることが困難であった。鉄酸化細菌を順化培養する方法も考えられるが、それでもＡｓ濃度が一定以上だと、鉄酸化細菌が死滅してしまうことがあった。しかし、本発明の方法では、Ｆｅ／Ａｓの量を適切に制御することにより、従来よりも高いＡｓ濃度であっても、鉄酸化細菌が生存でき、ＡｓＦｅ共沈物の生成を促進することができる。
【００２５】
Ａｓ濃度の上限値については、特に規定されないが、典型的には、１０ｇ／Ｌ以下、より好ましくは５ｇ／Ｌ以下であってもよい。
【００２６】
２−６．ＡｓＦｅ共沈物の製造条件（その他の条件について）
上述した培地の成分や鉄酸化細菌以外、他の培養条件は、状況に応じて当業者が適宜選択することができる。典型的な条件は以下の通りである。
温度：２０〜４５℃（好ましくは３０〜４５℃）
時間：１週間以上（好ましくは２週間以上）
ｐＨ：０．５〜３．０（好ましくは１．２〜２．５）
好熱性鉄酸化細菌を用いる好適な実施形態においても、他の培養条件は、状況に応じて当業者が適宜選択することができる。典型的な条件は以下の通りである。
温度：４５〜９０℃（好ましくは６０〜８５℃）
時間：１〜２８日間（好ましくは２日間以上、１５日間以下、又は２０日間以下）
ｐＨ：０．５〜３．０（好ましくは１．０〜２．０）
【００２７】
また、ＡｓＦｅ共沈物の製造を行う前に鉄酸化細菌の順化培養を行っている場合には、ＡｓＦｅ共沈物の製造に必要な成分を前培養の環境に添加する形で行っても良い。あるいは、前培養した鉄酸化細菌のみを回収して、該細菌を新たなＡｓＦｅ共沈物の製造環境に投入してもよい。
【００２８】
３．順化培養
一実施形態において、本発明の方法は、ＡｓＦｅ共沈物（例：スコロダイト）を製造するまえに、鉄酸化細菌を順化培養する工程を含むことができる。
【００２９】
培養する際に用いる培地は、上述したような９Ｋ培地等、当分野で公知の培地を用いることができる。ただし、Ｆｅ（ＩＩ）濃度については、別途調整することが好ましい。より具体的には、Ｆｅ（ＩＩ）の濃度を、２．０ｇ／Ｌ以上とすることが好ましい（更に好ましくは４．０ｇ／Ｌ以上）。２．０ｇ／Ｌ以上であることにより、Ａｓに対する耐性を獲得した鉄酸化細菌を得ることができる。上限値については、特に限定されないが、順化培養した後に鉄酸化細菌を分離せずにそのままスコロダイトを製造するような場合にはＦｅ（ＩＩ）濃度が低い方が結晶性や嵩比重の点で好ましいＡｓＦｅ共沈物（例：スコロダイト）が製造できる可能性があるので典型的には、８ｇ／Ｌ以下、より好ましくは、６ｇ／Ｌ以下であることが好ましい。
【００３０】
順化培養させる際のＡｓの最終濃度は、１．０ｇ／Ｌ以上、より好ましくは、２．０ｇ／Ｌ以上であってもよい。これにより、よりＡｓ濃度の高い条件下で、ＡｓＦｅ共沈物製造を行うことが可能となる。
【００３１】
更なる一実施形態において、順化培養する工程は、Ａｓの濃度を段階的に上昇させることを含むことができる。例えば、１つの固定濃度で培養する期間を、１フェーズとみなした場合、１フェーズごとに０．４〜０．６ｇずつ上昇させることができる。更には、最終濃度に達するまで、４フェーズ以下で、順化培養を行うことができる。下限値については、特に規定されないが、典型的には、２フェーズ以上であってもよい。
【００３２】
従来技術においては、順化培養を行う際に、Ａｓ濃度を少しずつ上昇させる必要があり（例えば、１フェーズごとに０．１ｇ／Ｌずつ上昇）、従って、上述したフェーズ数が多くなる傾向があり（例えば、１０フェーズ以上）、時間とコストがかかる。
【００３３】
しかし、本発明の順化培養においては、Ｆｅ濃度を適切に制御することで、順化培養を行う際のフェーズ数を大幅に減らすことができる。
【００３４】
４．順化培養を行わないＡｓＦｅ共沈方法
一実施形態において、本発明の方法は、ＡｓＦｅ共沈物（例：スコロダイト）を製造するまえに、鉄酸化細菌を順化培養する工程を含まなくてもよい。上述したように、順化培養は、Ａｓ濃度を徐々に上げていくことにより、鉄酸化細菌をＡｓ順化させる方法である。更なる一実施形態において、ＡｓＦｅ共沈物の製造開始時（即ち、１つの反応系において、ＡｓとＦｅと鉄酸化細菌の全てが投入された時）のＡｓの初期濃度は、１．０ｇ／Ｌ以上、より好ましくは２．０ｇ／Ｌ以上であってもよい。これは、順化培養を行うことなく、最初から高濃度のＡｓの反応系でＡｓＦｅ共沈物の製造を行うことができることを意味する。そして、このことは、Ｆｅ／Ａｓのモル比を適切に制御することで達成される。上述したようにＦｅ／Ａｓのモル比は、２．１〜３．８であってもよい。そして、より好ましくは、Ｆｅ／Ａｓのモル比は、２．６以上であってもよい。
【００３５】
順化培養を行わない実施形態において、本発明の方法は、ＡｓＦｅ共沈物を製造するまえに、前培養を行ってもよい。前培養とは、Ａｓを含まない環境下で鉄酸化細菌を培養することを指す。前培養においては、Ｆｅ濃度は、特に限定されないが、０．５〜４．０ｇ／Ｌ、より好ましくは、１．０〜２．０であってもよい。他の培養条件（例：温度、時間、ｐＨ、細菌の種類など）については、「２−６．ＡｓＦｅ共沈物の製造条件」の項で述べた条件を採用することができる。
【実施例】
【００３６】
（実施例１）
鉄酸化細菌Ａｃｉｄｉｔｈｉｏｂａｃｉｌｌｕｓ  ｆｅｒｒｏｏｘｉｄａｎｓを、除鉄９Ｋ培地に導入した。次に、当該培地に、二価の鉄（Ｆｅ源として、硫酸鉄（ＩＩ）七水和物）を導入した。Ｆｅの濃度は、０．５ｇ／Ｌ、２．０ｇ／Ｌ、４．０ｇ／Ｌ及び６．０ｇ／Ｌの４種類に調整した。溶液のｐＨは１．５に調整し、温度を３０℃で培養した。また、Ａｓ（Ａｓ源として、ヒ酸水素二ナトリウム）については、第一フェーズで０．５ｇ／Ｌに調整した。そして、各フェーズで１５０時間培養した後、０．５ｇ／ＬずつＡｓ濃度を上昇させ、最終的には２．０ｇ／Ｌまで上昇させた。細菌濃度の変化は、Ｎｉｋｏｎ製ＬＡＢＯＰＨＯＴ−２で細菌を観察し、観察視野内の細菌数をカウントして、試料全体の細菌数に換算することにより測定した。
【００３７】
結果を図２に示す。Ｆｅの濃度が０．５ｇ／Ｌの場合、Ａｓ濃度が上昇すると、鉄酸化細菌が増殖することができなかった。一方で、Ｆｅの濃度が２．０ｇ／Ｌ〜６．０ｇ／Ｌの場合には、Ａｓ濃度が上昇しても、鉄酸化細菌が増殖することが示された。このことから、ＦｅとＡｓの比率を適切に制御することで、高濃度のＡｓに耐性のある鉄酸化細菌を得ることができることが示された。
【００３８】
そして、この鉄酸化細菌を用いれば、高濃度のＡｓ環境下でＦｅＡｓ共沈物を製造することが可能であることが示された。即ち、鉄酸化細菌が死滅することなく、Ａｓの濃度を高くして、ＦｅＡｓ共沈物の生成反応を促進できることが示された。
【００３９】
（実施例２）
鉄酸化細菌Ａｃｉｄｉｔｈｉｏｂａｃｉｌｌｕｓ  ｆｅｒｒｏｏｘｉｄａｎｓを、除鉄９Ｋ培地に導入した。次に、当該培地に、二価の鉄（Ｆｅ源として、硫酸鉄（ＩＩ）七水和物）を導入した。Ｆｅの濃度は、１．５ｇ／Ｌに調整した。溶液のｐＨは２．０に調整し、温度３０℃で１６日間培養した。この時点ではＡｓは添加しなかった。即ち、実施例１と違って、順化培養（Ａｓ濃度を徐々に上昇させる培養）は実施しなかった。
【００４０】
次に、Ｆｅの濃度を、０．５ｇ／Ｌ、２．０ｇ／Ｌ、４．０ｇ／Ｌ及び６．０ｇ／Ｌの４種類に調整した。そして、溶液のｐＨは１．５に調整した。更に、Ａｓ（Ａｓ源として、ヒ酸水素二ナトリウム）については、２．０ｇ／Ｌに調整した。細菌濃度の変化は、Ｎｉｋｏｎ製ＬＡＢＯＰＨＯＴ−２で細菌を観察し、観察視野内の細菌数をカウントして、試料全体の細菌数に換算することにより測定した。
【００４１】
結果を図３に示す。驚くべきことに、予め鉄酸化細菌をＡｓに順化させなくても、鉄酸化細菌がＡｓ存在下で増殖することが示された。従って、ＦｅＡｓ共沈物を生成させる際に、順化培養を省略することができることが示された。
【００４２】
本明細書において、「又は」や「若しくは」という記載は、選択肢のいずれか１つのみを満たす場合や、全ての選択肢を満たす場合を含む。例えば、「Ａ又はＢ」「Ａ若しくはＢ」という記載の場合、Ａを満たしＢを満たさない場合と、Ｂを満たしＡを満たさない場合と、Ａを満たし且つＢを満たす場合のいずれも包含することを意図する。
【００４３】
以上、本発明の具体的な実施形態について説明してきた。上記実施形態は、本発明の具体例に過ぎず、本発明は上記実施形態に限定されない。例えば、上述の実施形態の１つに開示された技術的特徴は、他の実施形態に提供することができる。また、特定の方法については、一部の工程を他の工程の順序と入れ替えることも可能であり、特定の２つの工程の間に更なる工程を追加してもよい。本発明の範囲は、特許請求の範囲によって規定される。
【図１】
2018168053.tif 000003
【図２】
2018168053.tif 000004
【図３】
2018168053.tif 000005